(57)【要約】【課題】必要時に自重で降下させるだけで、オイルフェンスを設置可能にすると共に、オイルフェンス設置のための作業員及び運搬用の車両等を不要にし、さらに水位追従型として油漏れの原因も除くことができる常設型オイルフェンスを提供すること。【解決手段】水路２の両側の側壁３間に差し渡されて上下移動可能に装備される常設型オイルフェンスであって、水路２の両側の側壁３に沿って上下に延びるように設けられた左右のガイド部３１と、その左右のガイド部に沿って上下移動可能に設けられるフェンス本体６と、そのフェンス本体を上下移動可能に吊り下げる吊り装置２０とを備えている。【選択図】図１
2008063783.tif 000002
【特許請求の範囲】
【請求項１】
水路の両側の側壁間に差し渡されて上下移動可能に装備される常設型オイルフェンスであって、
前記水路の両側の側壁に沿って上下に延びるように設けられた左右のガイド部と、
その左右のガイド部に沿って上下移動可能に設けられるフェンス本体と、
そのフェンス本体を上下移動可能に吊り下げる吊り装置と、
を備えていることを特徴とする常設型オイルフェンス。
【請求項２】
前記フェンス本体を水平に保持する枠体を更に備えていることを特徴とする請求項１に記載の常設型オイルフェンス。
【請求項３】
前記左右のガイド部は、側壁に沿って上下方向に延びる溝によりそれぞれ形成され、前記枠体の両端に前記溝に沿って移動するガイドローラがそれぞれ設けられていることを特徴とする請求項２に記載の常設型オイルフェンス。
【請求項４】
前記吊り装置は、前記フェンス本体よりも上方位置に配置される滑車付きの支持装置と、前記滑車を介して前記フェンス本体を吊り上げる吊り索と、吊り索を巻き取るウインチとを備えていることを特徴とする請求項１〜３の何れかに記載の常設型オイルフェンス。
【請求項５】
前記支持装置は、前記両側の側壁上にそれぞれ設けられた支持台と、両支持台間に架設されたビーム材とを含み、そのビーム材の中央部に前記滑車が設けられていることを特徴とする請求項４に記載の常設型オイルフェンス。
【請求項６】
前記水路は発電所の放水路であり、前記ガイド部は前記放水路の両側の側壁に設けられている角落とし溝であることを特徴とする請求項１〜５の何れかに記載の常設型オイルフェンス。
【発明の詳細な説明】
【技術分野】
【０００１】
本発明は、発電所の放水路等に設置した場合に有効な常設型のオイルフェンスに関する。
【背景技術】
【０００２】
発電所から油が流出した場合、河川および下流の環境破壊につながることから、速やかに流出源に近い場所へオイルフェンスを設置し、油の拡大を防ぐと共に、流出した油を回収する必要がある。このオイルフェンスの設置に際しては、作業員によりオイルフェンスを運搬し、現地で展開して設置していた。
【０００３】
この種のオイルフェンスは、油の流出源近くと、流下側（下流側）の二箇所に設置するのが普通であるが、特に油の流出源近くに設置するオイルフェンスでは、その設置に急を要する場合が多い。
【０００４】
図６及び図７は、油の流出源近くである、水力発電所の放水路付近に設置したオイルフェンスの従来例を示す平面図及び側面図である。この従来例では、水力発電所１の放水路２の両側の側壁３、３上に設けてある既設手摺り４等にフェンス設置用ロープ５を縛り付けることで、放水路用のオイルフェンスＦを設置したものである。
【特許文献１】特開平１１−１００８３１号公報
【発明の開示】
【発明が解決しようとする課題】
【０００５】
オイルフェンスの設置に際し、作業員によりオイルフェンスを運搬し、現地で展開、設置していたため、最低でも３名以上の作業員とオイルフェンス運搬用の車両を確保しなければならない問題がある。また、オイルフェンス保管場所と設置場所が離れていると運搬に時間がかかる。そのため、オイルフェンス設置に急を要する場合に対応できない問題がある。
【０００６】
また、図７に示すように、放水路２の水の流れや水位の変動によりオイルフェンスＦと水面７間に隙間８が生じて、油膜９が漏れ出す問題があった。さらに、このオイルフェンス設置作業は放水路２に接近した高所作業となるために危険が伴う問題もあった。
【０００７】
よって、本発明の課題は、必要時に自重で降下させるだけで、オイルフェンスを設置可能にすると共に、オイルフェンス設置のための作業員及び運搬用の車両等を不要にし、さらに水位追従型として油漏れの原因も除くことができる常設型オイルフェンスを提供することにある。
【課題を解決するための手段】
【０００８】
前記課題を解決するため、本発明では以下の手段を採用した。
本発明は、水路の両側の側壁間に差し渡されて上下移動可能に装備される常設型オイルフェンスであって、前記水路の両側の側壁に沿って上下に延びるように設けられた左右のガイド部と、その左右のガイド部に沿って上下移動可能に設けられるフェンス本体と、そのフェンス本体を上下移動可能に吊り下げる吊り装置とを備えている。
【０００９】
本発明によれば、吊り装置によってフェンス本体を吊り下げているので、オイルフェンスを設置する必要があるときには、吊り装置を操作してフェンス本体を自重で降下させるだけで、設置することができる。これにより、オイルフェンス設置に急を要する場合にも
即座に対応できるだけでなく、オイルフェンス設置のための作業員及び運搬用の車両等も不要にすることができる。また、フェンス本体はその両端がガイド部によりガイドされて上下移動可能に構成されているので、水路の水位変化に対しても容易に追従させることができる。さらに水位追従型とすることで、フェンス本体と水面間に生じる隙間を無くし、油膜漏れの原因を除くことができる。
【００１０】
本発明においては、前記フェンス本体を水平に保持する枠体を更に備えていることが望ましい。フェンス本体のみでも、その形状を保持させる構成とすることは可能であるが、枠体を装備することで、フェンス本体をより高精度に目的とする形状に保持することができる。また、このように枠体があるため、枠体を除くフェンス本体部分の強度を従来よりも小さく（素材や部材を薄く）することが可能になるので、フェンス本体の軽量化も併せて図ることができる。
【００１１】
本発明において、前記左右のガイド部は、側壁に沿って上下方向に延びる溝によりそれぞれ形成され、前記枠体の両端に前記溝に沿って移動するガイドローラがそれぞれ設けられていることが望ましい。このように構成した場合、溝に沿って移動するガイドローラによりフェンス本体の両端が案内されるので、フェンス本体の上下移動が円滑に行われる。これによりフェンス本体の水位追従性を良好にすることができる。
【００１２】
本発明において、前記吊り装置は、前記フェンス本体よりも上方位置に配置される滑車付きの支持装置と、前記滑車を介して前記フェンス本体を吊り上げる吊り索と、吊り索を巻き取るウインチとを備えていることが望ましい。このように吊り索を巻き取るウインチを備えることで、そのウインチ操作によりフェンス本体を自重で落下させたり、吊り索をウインチで巻き取ってフェンス本体を水面上へ吊り上げたりする作業を容易に行うことができる。
【００１３】
本発明において、前記支持装置は、前記両側の側壁上にそれぞれ設けられた支持台と、両支持台間に架設されたビーム材とを含み、そのビーム材の中央部に前記滑車が設けられている構成とすることもできる。
【００１４】
本発明において、前記水路は発電所の放水路であり、前記ガイド部は前記放水路の両側の側壁に設けられている角落とし溝であることが望ましい。水力発電所の放水路においては、その両側の側壁に角落とし溝が設けられているので、この角落とし溝をガイド部としてそのまま利用することができるからである。これにより、オイルフェンス設置のための工費を低減することができる。
【発明の効果】
【００１５】
本発明の常設型オイルフェンスによれば、必要時に降下させるだけで、オイルフェンスを設置可能にすると共に、オイルフェンス設置のための作業員及び運搬用の車両等を不要にし、さらに水位追従型として油漏れの原因も除くことができる。
【発明を実施するための最良の形態】
【００１６】
以下、本発明の好適な実施例について、図面を参照して説明する。なお、以下の実施例では、本発明の常設型オイルフェンスを水力発電所の放水路に設備した場合に好適な例について説明する。
【実施例】
【００１７】
図１は、実施例に係る常設型オイルフェンスの正面図であり、図２はその平面図である。図３は同実施例に係る常設型オイルフェンスの拡大正面図であり、図４はその拡大平面図、図５はウインチの側面図である。なお、これらの図において従来例として示した図６
及び図７と基本的に同一の構成要素については同一符号を付してある。
【００１８】
図１〜図５に示すように、常設型オイルフェンスは、水力発電所１の放水路２の両側の側壁３、３間に差し渡されて上下移動可能に装備されるもので、放水路２の両側の側壁３、３に沿って上下に延びるように設けられた左右のガイド部３１、３１と、その左右のガイド部３１、３１に沿って上下移動可能に設けられるフェンス本体６と、そのフェンス本体６を上下移動可能に吊り下げる吊り装置２０とを備えている。次いで、これらの詳細について説明する。
【００１９】
水力発電所１は既設のもので、二基の発電設備を備えている。したがって、放水路２も二基の発電設備に対応して並列に二つ並べて設けられている。放水路２の両側の側壁３、３には、その相対する側壁面に沿って鉛直方向に延びる角落とし溝（ガイド部）３１、３１が設けられている。この角落とし溝３１、３１は、角材やＨ鋼などのいわゆる水門用仕切り材を落とし込むために設けた溝であり、図２及び図４に示すように上面から見てコ形状に形成されている。この実施例ではこの角落とし溝３１、３１をフェンス本体６のガイド部として利用する構成としている。
【００２０】
フェンス本体６には、この実施例では市販のフェンス材が用いられ、その形状が枠体１０により水平に保持されている。枠体１０は軽量化に配慮して強化プラスチックにより形成されている。枠体１０は水平に延びる水平部１１と、その水平部１１の両端に設けられた垂直部１２、１２と、垂直部１２、１２の上端から水平部１１に向かって斜めに延びる補強部１３、１３とを有している。そして、垂直部１２、１２には、角落とし溝３１、３１に沿って転がることができるガイドローラ１４、１４が上下に間隔をおいて一対、合計２対設けられている。
【００２１】
また、フェンス材は、枠体１０の水平部１１を中心にしてそれを両側から挟む形態で配置され、フェンス本体６全体の厚さが角落とし溝３１の溝幅よりも僅かに小さくなるように形成されている。フェンス材は、薄い箱形の単位フェンス材６１が樹脂シート等により複数連結されたもので、内部に空気室がそれぞれ形成された浮体構造となっている。単位フェンス材６１全体の合計浮力は、枠体１０及びガイドローラ１４を含むフェンス本体が水面下に２／３〜３／４程度沈む程度に設定されている。
【００２２】
吊り装置２０は、フェンス本体６よりも上方位置に配置される滑車２１付きのビーム材２２を有する支持装置２５と、滑車２１を介してフェンス本体６を吊り上げる吊り索２３と、吊り索２３を巻き取るウインチ２４とを備えている。吊り索２３を巻き取るウインチ２４を備えることで、そのウインチ操作によりフェンス本体６を自重で落下させたり、吊り索２３をウインチ２４で巻き取ってフェンス本体６を水面上へ吊り上げたりする作業を容易に行うことができる構成としている。
【００２３】
この実施例の支持装置２５は、両側の側壁３、３上にそれぞれ設けられた支持台２６、２６と、両支持台２６、２６間に架設されたビーム材２２とを含み、そのビーム材２２の中央部に滑車２１が設けられた構成としている。この支持装置２５としては、実施例では両端支持構造としているが、例えばクレーンのように自由端を有するアーム構造としてもよい。
【００２４】
実施例によれば、吊り装置２０によってフェンス本体６を吊り下げているので、オイルフェンスを設置する必要があるときには、吊り装置２０を操作してフェンス本体６を降下させるだけで、設置することができる。これにより、オイルフェンス設置に急を要する場合にも即座に対応できるだけでなく、オイルフェンス設置のための作業員及び運搬用の車両等も不要にすることができる。また、フェンス本体６はその両端のガイドローラ１４が
角落とし溝３１によりガイドされて円滑に上下移動可能に構成されているので、放水路２の水位変化に対しても容易に追従させることができる。さらに水位追従型とすることで、フェンス本体６と水面８間に生じる隙間を無くし、油漏れの原因を除くことができる。
【００２５】
また、フェンス本体６を水平に保持する枠体１０を備えているので、フェンス本体６をより高精度に目的とする形状に保持することができる。また、このように枠体１０があるため、枠体１０を除くフェンス本体部分の強度を従来よりも小さく（素材や部材を薄く）することが可能になるので、フェンス本体６の軽量化も併せて図ることができる。
【００２６】
なお、上記実施例では、ウインチ２４をマニュアル操作する構成としているが、ウインチ２４のロック機構に電磁ソレノイド等を利用し、遠隔操作でロック解除できる構成としてもよい。そうすれば、監視カメラ等で放水路への油漏れを監視しつつ、その監視場所からの遠隔操作でフェンス本体６を降下させて即座に設置することも可能になる。さらに、ウインチ２４自体を遠隔操作可能な電動ウインチとして、遠隔操作によりフェンス本体６を降下させたり、巻き上げたりすることができるようにしてもよい。
【図面の簡単な説明】
【００２７】
【図１】本発明の実施例に係る常設型オイルフェンスの正面図。
【図２】本発明の実施例に係る常設型オイルフェンスの平面図。
【図３】本発明の実施例に係る常設型オイルフェンスの拡大正面図。
【図４】本発明の実施例に係る常設型オイルフェンスの拡大平面図。
【図５】本発明の実施例に係る常設型オイルフェンスのウインチの側面図。
【図６】従来例に係るオイルフェンスの平面図。
【図７】従来例に係るオイルフェンスの側面図。
【符号の説明】
【００２８】
１  発電所
２  水路
３  側壁
６  フェンス本体
７  水面
８  隙間
１０  枠体
１４  ガイドローラ
２０  吊り装置
２１  滑車
２２  ビーム材
２３  吊り索
２４  ウインチ
２５  支持装置
【図１】
2008063783.tif 000003
【図２】
2008063783.tif 000004
【図３】
2008063783.tif 000005
【図４】
2008063783.tif 000006
【図５】
2008063783.tif 000007
【図６】
2008063783.tif 000008
【図７】
2008063783.tif 000009